(57)【要約】【課題】有効な美容的効果を得ることができる美容器を提供すること。【解決手段】ハンドル１１の端部に一対のボール状の回転体１３を支持し、その回転体１３の外周には、円錐形状で、先端が凸曲面状をなす複数の突起１２を形成した。ハンドル１１を持ちながら、回転体１３を身体表面部に当てて、回転体１３を転がすことにより、回転体１３の突起１２によって身体表面部をマッサージすることができる。【選択図】図１
2019188046.tif 000002
【特許請求の範囲】
【請求項１】
ハンドルにボール状の回転体を支持し、その回転体の外周には、錐台形状をなす複数の突起を形成した美容器。
【請求項２】
前記突起は、先端を凸曲面状にした請求項１に記載の美容器。
【請求項３】
前記突起は円錐台形状をなす請求項１または２に記載の美容器。
【請求項４】
前記突起の先端が前記回転体の中心を中心とする仮想球面上に位置する請求項１〜３のうちのいずれか一項に記載の美容器。
【請求項５】
前記回転体の回転軸を先広がりの傾斜状配置にした請求項１〜４のうちのいずれか一項に記載の美容器。
【請求項６】
前記回転体の回転軸を前記ハンドルの把持中心線に対して前傾させた請求項１〜５のうちのいずれか一項に記載の美容器。
【発明の詳細な説明】
【技術分野】
【０００１】
本発明は、外周面に突起を有する回転体を身体上で転がすことにより、使用者の身体表面部をマッサージして使用者に対して美容的作用を付与するようにした美容器に関するものである。
【背景技術】
【０００２】
従来、この種の回転体を有する美容器として、特許文献１及び特許文献２に開示されたものがある。
特許文献１の美容器は、回転体の外周に、ゴルフボールのディンプルを逆に外側に突出させた凹凸表面を有している。
【０００３】
特許文献２に開示された美容器は、円柱形状の回転体の外周面に突起が形成されている。そして、回転体を身体の皮膚に押し付けて回転させることにより、身体に対して美容的作用が付与されるとしている。
【先行技術文献】
【特許文献】
【０００４】
【特許文献１】特開２００３−７９６９０号公報（明細書の段落００１４、図面の図１）
【特許文献２】特開２０１７−８０３４１号公報（明細書の段落００８４〜００９２、図面の図２４〜図２７）
【発明の概要】
【発明が解決しようとする課題】
【０００５】
前記特許文献１においては、ボール状の回転体の表面の凸部がゴルフボールのディンプルを逆に外側に突出させた程度の高さの低いものであるため、十分な美容的効果を期待できない。高い美容的効果を得るために、凸部の高さを高くした場合は、凸部がディンプルを逆に外側に突出させた形状であるため、その凸部は背が高い半球形状になる。このように半球形状の背が高い凸部は、その凸部の基部の外周面が回転体の表面からほぼ直角に立ち上がる。従って、多くの凸部が表面に分散配置されていると、それらの凸部の基部の表面が放射方向に立ち上がることになるため、回転体の表面を成形する成形型を細かく分割しないと型抜きが困難になる。
【０００６】
また、特許文献２の構成においては、突起が円筒面に形成されるものであるため、身体表面部に対して円筒の軸方向に沿う直線状領域の部分が当たることになり、美容器の角度や体の部位によっては、美容的効果が低下するおそれが多分にある。
【０００７】
本発明の目的は、高い美容的効果を得ることができる美容器を提供することにある。
【課題を解決するための手段】
【０００８】
上記の目的を達成するために、本発明は、ハンドルにボール状の回転体を支持し、その回転体の外周には、錐台形状をなす複数の突起を形成したことを特徴としている。ここで、錐台形状とは、円錐台や、三角錐台，四角錐台などの各種の先端が尖っていない錐台形状を指し、角錐台形状の場合は、各部のコーナが丸く形成されたり、面取りされたりするものを含む。また、錐台形の先端の台は、平面に限らず、膨らんだ球面状、楕円球面状、平面であっても外周のコーナを曲面状や面取り形状にしたものや、凹んだ形状のものを含むものとする。
【０００９】
従って、本発明の美容器においては、回転体がボール状であるため、一対の回転体を並設して、先広がりに配置された２本の軸に支持すれば、美容器の使用者の皮膚やその下部組織を含む身体表面部が回転体よって押圧されるとともに、つまみ上げられて、高い美容的効果を得ることができる。また、回転体の回転により、身体表面部が突起によって断続的に強く押圧されて、さらに高い美容的効果を得ることができる。しかも、突起は先端が凸曲面状をなしているため、突起による適度な刺激はあるものの、痛みは抑えられ、快適なマッサージ作用と高い美容的効果を得ることができる。
【発明の効果】
【００１０】
以上のように、本発明によれば、高い美容的効果を得ることができるという効果を発揮する。
【図面の簡単な説明】
【００１１】
【図１】第１実施形態の美容器の斜視図。
【図２】第１実施形態の美容器の平面図。
【図３】第１実施形態の美容器の一部破断底面図。
【図４】第１実施形態の美容器の側面図。
【図５】第１実施形態の美容器の分解斜視図。
【図６】第２外部フレーム及び第２カバーの部分の分解斜視図。
【図７】回転体の部分の分解斜視図。
【図８】ベースフレームの内部構成を示す平面図。
【図９】図２の９−９線断面図。
【図１０】図９において補強部材を除去した断面図。
【図１１】図２の１１−１１線断面図。
【図１２】図２の１２−１２線断面図。
【図１３】回転体の断面図。
【図１４】回転体の平面図。
【図１５】回転体の側面図。
【図１６】第２実施形態の美容器を上から見た斜視図。
【図１７】第２実施形態の美容器を下から見た斜視図。
【図１８】第２実施形態の美容器の側面図。
【図１９】第３実施形態の美容器の斜視図。
【図２０】第４実施形態の美容器の平面図。
【図２１】変更例を示す斜視図。
【発明を実施するための形態】
【００１２】
（第１実施形態）
以下に、本発明を具体化した美容器の第１実施形態を図面に従って説明する。
図１〜図３に示すように、本実施形態の美容器は、先端（以下、この先端側を前部とする）に二叉部１０が形成されたハンドル１１を備えている。二叉部１０には外周面に複数の突起１２を有する一対のマッサージ用の回転体１３が並設され、それらの回転体１３は一軸線を中心に回転可能になっている。そして、美容器の使用者がハンドル１１を把持して、身体の皮膚，その下部組織や筋肉（以下、これらの部分を総称して身体表面部という）に対して回転体１３を適当な力で押し付けながらその回転体１３を転がすことにより、身体の各部をマッサージできる。
【００１３】
そこで、以下に、本実施形態の美容器の各部の構成を詳細に説明する。
図１及び図５に示すように、ハンドル１１は、ベースフレーム１４と、そのベースフレーム１４の外側に位置する第１外部フレーム（以下、第１フレームという）１５及び第２外部フレーム（以下、第２フレームという）１６とを備えている。このベースフレーム１４，第１フレーム１５及び第２フレーム１６により、ハンドル本体２０が構成されている。図１，図５及び図６に示すように、第１，第２フレーム１５，１６の外側には加飾部材としての第１カバー１７及び第２カバー１８が取り付けられている。ベースフレーム１４の前端側の外側面には補強部材１９が設けられている（図３，図９参照）。前記ベースフレーム１４、第１，第２フレーム１５，１６及び第１，第２カバー１７，１８は電気絶縁材である合成樹脂によって構成され、補強部材１９は金属板材によって構成されている。第１，第２フレーム１５，１６及び前記回転体１３の表面全体には金属メッキが施されている。
【００１４】
図５，図８及び図９に示すように、前記ベースフレーム１４は、一側面を開放した有底形状の断面ほぼ舟形形状をなし、開放部の周縁の溝２１にシールリング２２が嵌め込まれている。前記第１フレーム１５はベースフレーム１４の底部側に被せられており、ベースフレーム１４の後端の突起２３が第１フレーム１５の凹部２４に嵌合されている。前記第２フレーム１６はベースフレーム１４の開放部側に被せられ、その外周縁の段差２５に第１フレーム１５の突条２６が嵌合されている。その突条２６の内側に着座面が形成され、この着座面に前記シールリング２２が着座されて、第２フレーム１６とベースフレーム１４との間の水密性が確保されている。そして、ベースフレーム１４の孔を通り、第２フレーム１６のねじ込まれたタップネジ２８により、第２フレーム１６がベースフレーム１４に固定されている。
【００１５】
図５及び図１２に示すように、ベースフレーム１４の前端には円筒部２９が形成されるとともに、第１，第２フレーム１５，１６には円筒部２９の外周に被せられた半円筒部３０，３１が形成されている。そして、半円筒部３０，３１上に保持リング３２が外嵌されて、この部分においてベースフレーム１４と第１，第２フレーム１５，１６とが一体化されている。
【００１６】
図３，図９及び図１０に示すように、前記補強部材１９は、ベースフレーム１４の前端部の凹部３３内に位置するとともに、凹部５２に嵌合する位置決め突起３４によって位置決めされている。また、補強部材１９は、ベースフレーム１４にねじ込まれたタップネジ３５によって位置決め状態において固定されている。そして、補強部材１９は、前記支持軸３８間の回転体１３側の位置から回転体１３の反対側であるハンドル１１の基端部に向かって、ハンドル１１の長さ方向の中間部まで延長されている。この補強部材１９は、ハンドル１１に作用するハンドル１１の曲げ方向のモーメントに抗する補強作用を備えている。
【００１７】
図１及び図９に示すように、前記第１カバー１７及び第２カバー１８は、それぞれ第１フレーム１５及び第２フレーム１６の外側面の後端寄りに形成された凹部３６内に嵌合されている。そして、第１カバー１７及び第２カバー１８は、第１，第２フレーム１５，１６の孔を通って第１，第２カバー１７，１８の凸部にねじ込まれたタップネジ３７によって固定されている。第１，第２カバー１７，１８は、第１，第２フレーム１５，１６の外表面と連続する曲面よりなる外表面を形成するとともに、第１，第２フレーム１５，１６と異なる色，例えば木目調に形成され、ハンドル１１の加飾機能を有している。この木目調は、例えば、第１，第２カバー１７，１８を構成する合成樹脂中に木粉を混入したり、第１，第２カバー１７，１８を構成する合成樹脂の表面に木製シートを貼着したりして構成される。従って、第１，第２カバー１７，１８は、第１，第２フレーム１５，１６と材質が異なり、第１，第２フレーム１５，１６と比較して色，明度，光沢度，表面粗度が異なるとともに、比熱，硬度や摩擦係数が異なる。
【００１８】
図５，図７及び図１２に示すように、ベースフレーム１４の前記円筒部２９内には支持軸３８が挿入されている。この支持軸３８の一端面に開口するネジ孔３９には、バネ座金付きネジ４０がベースフレーム１４の内側から螺入されて支持軸３８が前方の外側へ抜けることが防止されている。また、支持軸３８のＤカット状の平面部４１が円筒部２９内の平面部（図示しない）と係合して支持軸３８の回転が阻止されている。支持軸３８の長さ方向の中間部には、その支持軸３８のベースフレーム１４側への移動を阻止するために円筒部２９の先端面と係合するフランジ４３が形成されている。支持軸３８の小径部には、支持軸３８の外周面と円筒部２９の内周面との間の水密性を保持するためのゴム製のシールリング４４が外嵌されている。
【００１９】
図７及び図１２に示すように、支持軸３８のフランジ４３の前端側にはフランジ４５を有する合成樹脂製の軸受部材４６が回転可能に外嵌されており、フランジ４５と軸受部材４６との間には摩擦係数の低い材料よりなる滑動リング４７が介在されている。この滑動リング４７は、軸受部材４６の段差面５３との間に位置し、軸受部材４６の円滑な回転を担保する。支持軸３８の先端の環状溝には軸受部材４６の抜け止めのための止めリング４８が取り付けられている。軸受部材４６の周壁には案内斜面４９と抜け止め面５０とを備えた係合爪５１が撓み変形可能に一体形成されている。
【００２０】
図７及び図１２に示すように、押圧体を構成する前記回転体１３は、開口５５を有する中空ボール形状をなし、その内部にはふたつのコア片５６，５７を結合させたコア５８が収容固定されている。一方のコア片５６の内周には環状突起５９が形成されている。そして、回転体１３を軸受部材４６上に被冠させることにより、前記案内斜面４９の作用によって係合爪５１が撓み退避した後に、環状突起５９が抜け止め面５０が係合される。これによって、回転体１３が軸受部材４６に抜け止め状態で保持リング３２の周りにおいて支持軸３８に回転可能に支持される。
【００２１】
図１３〜図１５に示すように、回転体１３は、ほぼ球形のベース部６１の外周に均等間隔をおいて複数（本実施形態では２５）の前記突起１２が一体形成されている。これらの突起１２は全体として円錐状に形成されるとともに、先端が凸曲面である球面形状に形成されている。そして、突起１２は回転体１３のほぼ中心を中心としてほぼ放射方向を指向するとともに、先端が仮想球面α上に位置している。この仮想球面αは、回転体１３の最大径の位置において支持軸３８と直交する面内に位置する円を球面の一部とし、その円と仮想球面αとは同径である。そして、仮想球面αの直径は、１５〜６０ミリメートルの範囲が体感上好ましく、３２〜５５ミリメートルの範囲がさらに好ましく、３８〜４５ミリメートルの範囲が最も好ましい。
【００２２】
回転体１３のベース部６１の基端部の外径βは前記ハンドル１１の回転体１３側の端部６２の外径と等しく形成され、ベース部６１及び端部６２の外周面がほぼ同一曲面上に位置している。
【００２３】
ここで、前記突起１２の数は、１６〜３１の範囲が体感上及び美容的効果をもたらす血行促進の面において好ましく、２０〜３０の範囲がさらに好ましく、２３〜２８の範囲が最も好ましい。また、左右の突起１２間の図２に示す最短距離δは７．５〜１０ミリメートルが体感上及び美容的効果をもたらす血行促進の面において好ましい。さらに、突起１２の先端の曲率半径は、２〜６ミリメートルが体感上及び美容的効果をもたらす血行促進の面において好ましく、２〜４ミリメートルがさらに好ましい。突起１２の先端の曲率は、突起１２の先端が半球状ではない他の曲面状の場合も含めて、体感上及び美容的効果をもたらす血行促進の面において１／２（２分の１）〜１／６が好ましく、１／２〜１／４がさらに好ましい。なお、実施形態において、突起１２の先端の曲率半径は３ミリメートル，すなわち曲率１／３である。
【００２４】
図５，図８及び図９に示すように、前記ベースフレーム１４の内部のほぼ中央部には保持台７１が形成され、その上面には機能部品としての光発電用の発電パネル７２が枠７３によって位置決めされた状態で保持されている。発電パネル７２のハンドル後端部側には、機能部品としての金属製のバランスウェイト７４がベースフレーム１４と一体のピン７５及びベースフレーム１４にねじ込まれるタップネジ７６によって固定されている。このバランスウェイト７４は、本実施形態の美容器の使用に際して、美容器全体の重量バランスを適正に維持するためのものである。
【００２５】
そして、発電パネル７２のプラスまたはマイナスの一方の出力端子が給電線（図示しない）を介して前記タップネジ７６及びバランスウェイト７４に電気接続されている。バランスウェイト７４の下面には電極７７が圧接され、この電極７７は給電路（図示しない）を介して第１フレーム１５の内面側のメッキに電気接続され、ひいてはハンドル本体２０の外表面のメッキに電気接続されている。発電パネル７２の他方の出力端子は給電線（図示しない）を介して前記バネ座金付きネジ４０に電気接続されている。そして、バネ座金付きネジ４０は給電路（図示しない）を介して回転体１３の外周面の金属メッキに電気接続されている。従って、発電パネル７２によって発電された電力は、ハンドル１１の外表面のメッキ及び回転体１３の外表面のメッキに供給される。前記電極７７及びバネ座金付きネジ４０間は絶縁材よりなるベースフレーム１４により電気絶縁されている。図１２に示すように、前記ハンドル本体２０と回転体１３との間には、隙間６４が形成され、この隙間６４により、ハンドル本体２０と回転体１３との間の電気絶縁が確保されている。
【００２６】
図１，図５及び図９に示すように、前記第２フレーム１６及び第２カバー１８には、前記発電パネル７２と対応するように透孔７８，７９が形成されている。そして、レンズユニット８０のレンズ８１がこの透孔７８，７９内に嵌合されて、ハンドル１１の外部の光を発電パネル７２の発電表面に導くようになっている。レンズユニット８０はその外周部においてタップネジ８２によって第２フレーム１６の内面に固定されている。レンズユニット８０の外周部と第２フレーム１６の透孔７８の内縁部との間にはシールリング８３が介在され、透孔７８，７９におけるレンズユニット８０と第２フレーム１６との間の水密性が保持されている。
【００２７】
図２に示すように、回転体１３を並設状態で支持するための一対の支持軸３８は末広がり状に傾斜配置され、その開き角度θ１は、本実施形態においてはほぼ７０度である。この開き角度θ１は、５０〜１１０度の範囲内が体感上及び美容的効果をもたらす血行促進の面において好ましく、５０〜９０度の範囲内がさらに好ましく、６５〜８０度の範囲内が最も好ましい。図４に示すように、美容器の側面視において、前記支持軸３８は、ハンドル１１に対して傾斜（前傾）している。
【００２８】
前記回転体１３は、その成形後の型割り（型離間れ）時に、突起１２の部分においてアンダーカットが形成されることなく、型離れが円滑に行われるように、突起１２の形状が設定されている。すなわち、突起１２は、成形型の複数の分割型（図示しない）間のパーティングラインεに面する側の周面が、突起１２の先端側ほどパーティングラインεから離間する形状になっている。なお、回転体１３は成形後にバフによって研磨されるため、パーティングラインεは、消えるか、目立たなくされる。
【００２９】
次に、以上のように構成された本実施形態の美容器の作用を説明する。
この美容器を使用する場合は、使用者はハンドル１１を把持して、回転体１３を顔等の身体表面部にあてて、その回転体１３を適当な力を加えながら身体表面部上を転がせばよい。このようにすれば、回転する回転体１３の突起１２によって身体表面部である皮膚，その下部組織及び筋肉などがマッサージされて、その身体表面部の血行が良くなったり、毛穴が開いたりして、美容的効果を得ることができる。また、このとき、発電パネル７２で発電された電力がハンドル本体２０及び回転体１３の金属メッキを有する表面に供給される。このため、手によって把持されるハンドル１１と、身体表面部に押し当てられた回転体１３との間に回転体１３によりマッサージされる身体表面部を含む身体を介在させた電路が形成され、身体表面部を含む身体に微弱電流が流れて、美容的効果が高められる。
【００３０】
本実施形態においては、回転体１３がボール形状のシルエットを有するとともに、回転体１３の支持軸３８が前傾角度を有している。このため、回転体１３を身体表面部上で移動させると、両回転体１３の回転によって、図１１に示すように、身体表面部１００が押圧されながらつまみ上げられる。このため、高い美容的効果を得ることができる。
【００３１】
従って、本実施形態においては、前記のように身体表面部１００がつまみ上げられることと、突起１２によって断続的に強く押圧されることとの相乗効果により、さらに高い美容的効果を得ることができる。
【００３２】
そして、この美容器においては、シールリング２２，４４，８３がハンドル１１のベースフレーム１４内への水の侵入を防止するため、この美容器を浴室内において、たとえ浴槽内であっても支障なく使用できる。
【００３３】
本実施形態によれば、以下の効果がある。
（１）美容器の使用者の身体表面部が回転体１３によって押圧されると同時につまみ上げられるため、高い美容的効果を得ることができる。
【００３４】
（２）この場合、回転体１３の回転により、身体表面部が突起１２によって断続的に強く押圧されて、さらに高い美容的効果を得ることができる。しかも、突起１２は先端がボール状をなしているため、身体表面部に対して適度な刺激はあるものの、痛みは抑えられる。
【００３５】
（３）前記ハンドル１１のベースフレーム１４の外周縁と第２フレーム１６の開口内周縁との間、ベースフレーム１４の円筒部２９と支持軸３８との間及びレンズユニット８０と透孔７８の内縁部との間にそれぞれシールリング２２，４４，８３が介装されている。このため、ベースフレーム１４内に水が侵入するおそれを防止することができて、ベースフレーム１４に発電パネル７２等の電装品を収容した構成であっても、水によってそれらの機能が阻害されることを防止することができる。
【００３６】
（４）ベースフレーム１４が舟形形状をなして、そのベースフレーム１４の壁部が湾曲しているため、ベースフレーム１４そのものの強度を向上させることができ、ひいては、ハンドル１１の強度を向上させることができる。
【００３７】
（５）前記のように、ベースフレーム１４が舟形形状をなしているため、その内部空間を利用して、発電パネル７２やバランスウェイト７４などの機能部品を整列状態で納まりよく配置でき、その機能部品の組付けが容易になる。
【００３８】
（６）ベースフレーム１４の先端部に、ハンドル１１の曲げ方向のモーメントに抗する補強部材１９が設けられているため、回転体１３を身体表面部に強く押し当てても、ハンドル１１の変形が抑えられる。このため、ハンドル１１が破損したり、ハンドル本体２０の第１，第２フレーム１５，１６間が開いたりすることを抑えることができる。従って、回転体１３を身体表面部に強く押し当てることができるため、高いマッサージ効果を得ることができる。
【００３９】
（７）補強部材１９の前端部が支持軸３８の基端部の部分に位置しているため、支持軸３８の基端部に作用する同軸３８の軸方向と交差する方向の力、すなわち、支持軸３８を引き起こしてベースフレーム１４の円筒部２９の部分を破損させる方向の力に抗することができ、円筒部２９などの破損を有効に回避できる。
【００４０】
（８）前記補強部材１９を第１，第２フレーム１５，１６で覆われるベースフレーム１４に設けたことにより、補強部材１９を隠蔽することができて、ハンドル１１の外観を良好に維持できる。
【００４１】
（９）ベースフレーム１４の内部に発電パネル７２などの機能部品を設けるとともに、ベースフレーム１４の外側に補強部材１９を設けたことにより、補強部材１９によってベースフレーム１４の内部容積が狭くなることを回避できる。よって、ベースフレーム１４内のスペースを有効に利用できて、機能部品の組み付けが容易になる。
【００４２】
（１０）補強部材１９をベースフレーム１４の外側面の凹部３３に嵌合したことにより、補強部材１９の移動を規制して、補強部材１９を定位置に保持できる。従って、補強部材１９の組付けが容易になるとともに、組付け状態の補強部材１９の移動を阻止できて、補強機能を発揮できる。また、補強部材１９のベースフレーム１４の外表面からの突出を抑えることができて、ハンドル１１の小形化及びデザインの融通性に寄与できる。
【００４３】
（１１）ハンドル１１が側面視において前傾形状に形成されているため、ハンドル１１を身体表面部に沿わせた使いやすい姿勢で使用することができ、有効なマッサージ機能を得ることができる。
【００４４】
（１２）ハンドル１１に加飾部材としての第１，第２カバー１７，１８が設けられているため、加飾効果などの各種の効果を得ることができる。すなわち、第１，第２カバー１７，１８がハンドル本体２０と色，光沢度，面粗度，模様などの外観が異なっていれば、第１，第２カバー１７，１８によってハンドル１１、ひいては美容器全体のデザイン性を向上できる。
【００４５】
また、第１，第２カバー１７，１８が木製のものであったり、木粉を混入したものであったりすれば、第１，第２カバー１７，１８の比熱が高くなり、ハンドル１１を把持したときに、暖かみを感じることができて、マッサージ操作にともなう快適性を向上できる。さらに、第１，第２カバー１７，１８が前記のように木製や、木粉を混入したものであれば、第１，第２カバー１７，１８はハンドル本体２０より摩擦係数が高くなって滑りにくく、マッサージにおいて操作しやすいものとなる。
【００４６】
第１，第２カバー１７，１８がゴム材や軟質ウレタン材などのハンドル本体２０より柔らかいものであれば、ハンドル１１が手に馴染みやすく、前記と同様にマッサージにおいて操作しやすいものとなる。
【００４７】
第１，第２カバー１７，１８が金属のように高剛性のものであれば、ハンドル本体２０の強度を向上できる。そして、このように、第１，第２カバー１７，１８として高剛性のものを用いれば、第１，第２カバー１７，１８と補強部材１９との相乗効果により、ハンドル１１全体をより高強度にすることができる。
【００４８】
（１３）図１３〜図１５に示すように、回転体１３の突起１２の部分においてアンダーカットが形成されないようにしている。従って、これらの突起１２を含む回転体１３の外周面を無理なく精密に整形できる。
【００４９】
（第２実施形態）
次に、本発明の第２実施形態を図面に基づいて説明する。
本実施形態の美容器においては、図１６〜図１８に示すように、平面ほぼ分胴形状をなすハンドル１０１の下面にフレーム１０２が図１８に示すハンドル１０１の中心の軸線γを中心に回転可能に支持されている。フレーム１０２の隅角部には、長四角形のコーナに位置する４本の支持軸３８が支持され、それらの支持軸３８には、前記第１実施形態と同様な回転体１３が支持されている。従って、回転体１３は合計４個設けられている。各支持軸３８は、先広がり傾斜状に延びている。従って、それぞれ回転体１３を支持する４本の各支持軸３８は、一方向からの側面投影において二対が先広がり傾斜状であるとともに、９０度異なる方向からの他方向からの側面投影において他の組み合わせの二対が先広がり傾斜状である。
【００５０】
なお、フレーム１０２は、バネを有する規制手段（図示しない）により軸線γを中心とする回動位置が４５度ごとに規制されて、ハンドル１０１の向きが４５度おきに３６０度の範囲で任意に調節される。
【００５１】
本実施形態の美容器を使用して、身体をマッサージする場合には、ハンドル１０１を把持して、回転体１３を広い間隔あるいは狭い間隔で前後に配置された状態で回転体１３を身体の表面に沿って移動させる。このようにすれば、広い間隔あるいは狭い間隔で前後に配置された一対の回転体１３により身体表面部が押圧されるとともに、摘まみ上げられながらマッサージされる。従って、合計４個の回転体１３により、身体表面部に対する押圧と摘まみ上げとの異なった力によるマッサージ効果が同時に得られる。
【００５２】
従って、本実施形態によれば、以下のような効果を得ることができる。
（１４）支持軸３８が二対４本設けられ、各対の支持軸３８の軸間間隔が長四角の長辺及び短辺に長さに従って異なっている。このため、腕や足首等の細い部位をマッサージする場合には、軸間間隔の狭い二対の支持軸３８の回転体１３を移動方向と直交する方向の両側に配置にした状態で、美容器を移動させる。このことにより、二対の回転体１３において細い部位に対する押圧と摘まみ上げとの異なったマッサージ効果を発揮させることができる。これに対して、腿や腰等の太い部位をマッサージする場合には、軸間間隔の広い二対の支持軸３８の回転体１３を移動方向の両側に配置した状態で、美容器を移動させる。このことにより、二対の回転体１３により太い部位に対する押圧と摘まみ上げとの異なったマッサージ効果を良好に発揮させることができる。
【００５３】
（１５）ハンドル１０１の向きが変更可能に構成されるとともに、所望の角度で保持されるようになっている。このため、例えばマッサージの部位に応じて、ハンドル１０１の向きを変更することにより、良好な操作性とマッサージ効果とを得ることができる。
【００５４】
（第３実施形態）
次に、本発明の第３実施形態を説明する。
本実施形態においては、図１９に示すように、全支持軸３８が、一方向からの側面投影において二対が先広がり傾斜状であるとともに、９０度異なる他方向からの側面投影において他の組み合わせの二対が同方向に傾斜されている。
【００５５】
従って、本実施形態においては、前記第２実施形態とほぼ同様な効果を得ることができる。
（第４実施形態）
次に、本発明の第４実施形態について説明する。
【００５６】
第４実施形態においては、図２０に示すように、直線的なハンドルの先端に１個の回転体１３を支持軸３８によって支持したものである。
従って、本実施形態においては、以下の効果がある。
【００５７】
（１６）回転体１３によるつまみ上げ作用はないものの、突起１２の押圧よるマッサージ作用を得ることができるとともに、部品点数を少なくして、構成を簡素化できる。
（変更例）
本発明は、前記実施形態に限定されるものではなく、次のように変更して具体化することも可能である。
【００５８】
・図２１に示すように、ハンドル１１として扁平形状をなすものを用い、回転体１３を前記第４実施形態と同様に１個とすること。従って、この変更例においては、第４実施形態と同様な効果を得ることができる。
【００５９】
・第１実施形態において、微弱電流の付与機能をなくすこと。つまり、ハンドル１１内の電装品を省略すること。これにより、部品数低減に寄与することができる。
・回転体１３と支持軸３８とを一体化すること。このためには、支持軸３８を回転体１３にインサート成形したり、支持軸３８を回転体１３の孔に無理嵌めしたり、回転体１３と支持軸３８とを一体形成したりする。回転体１３と支持軸３８とを一体形成した場合は、支持軸３８の外周に筒状の金属を被せることが好ましい。そして、これらの構成においては、支持軸３８はハンドル１１に回転可能に支持される。この場合、ハンドル１１の支持軸３８を支持する軸受部分は、メタルを圧入したり、硬質樹脂を２色成形したりする。これにより、支持軸のボール支持構造を省略することができ、部品数低減に寄与することができる。
【００６０】
・ハンドル１１の支持軸３８を支持する支持孔の底部を壁や栓などによって閉塞して、支持軸３８がハンドル１１の内部に突出しないようにすること。たとえば、支持軸３８を支持孔に無理嵌めすることで、支持軸３８をハンドル１１に固定することができる。この場合、支持軸３８をハンドル１１に固定する部品を省略することができるため、部品数低減に寄与することができる。
【００６１】
・支持軸３８をハンドル１１に支持して、そのハンドル１１から突出する支持軸３８に回転体１３を支持すること。たとえば、支持軸３８をハンドル１１と一体成形してもよい。この場合、支持軸３８をハンドル１１に固定する部品を省略することができるため、部品数低減に寄与することができる。
【００６２】
・回転体１３の突起１２の数などを変更すること。
・補強部材１９をベースフレーム１４の底面全体に設けること。このように構成すれば、補強部材１９はベースフレーム１４の全体強度を向上させることができる。
【００６３】
・補強部材１９を第１フレーム１５及び第２フレーム１６の少なくとも一方の内側面または外側面に設けること。補強部材１９を第１フレーム１５または第２フレーム１６の外側面に設けた場合は、補強部材１９が加飾部材を兼ねるようにしてもよい。
【００６４】
・加飾部材としての第１カバー１７及び第２カバー１８を第１，第２フレーム１５，１６の一方のみ設けること。
・ハンドル本体２０や、第１，第２カバー１７，１８に、滑り止めのための手指の曲面に沿う形状の凹凸を設けたり、ローレットを刻設したりすること。
【００６５】
・回転体１３の突起１２を三角錐台形状，四角錐台形状などの角錐形状にすること。この場合、外周のコーナ部は、円弧状にしたり、面取り形状にしたりすることが好ましい。
・突起１２の先端を平面形状、楕円形状、あるいは凹んだ形状にすること。この場合、突起１２の先端と外周面との間にコーナが形成されないように、そのコーナを円弧状にしたり、面取り形状にしたりする。
【符号の説明】
【００６６】
１１…ハンドル、１２…突起、１３…回転体、１５…カバー体、１９…補強部材、２０…ハンドル本体、３８…支持軸、α…仮想球面、δ…最短距離、θ１…角度。
【図１】
2019188046.tif 000003
【図２】
2019188046.tif 000004
【図３】
2019188046.tif 000005
【図４】
2019188046.tif 000006
【図５】
2019188046.tif 000007
【図６】
2019188046.tif 000008
【図７】
2019188046.tif 000009
【図８】
2019188046.tif 000010
【図９】
2019188046.tif 000011
【図１０】
2019188046.tif 000012
【図１１】
2019188046.tif 000013
【図１２】
2019188046.tif 000014
【図１３】
2019188046.tif 000015
【図１４】
2019188046.tif 000016
【図１５】
2019188046.tif 000017
【図１６】
2019188046.tif 000018
【図１７】
2019188046.tif 000019
【図１８】
2019188046.tif 000020
【図１９】
2019188046.tif 000021
【図２０】
2019188046.tif 000022
【図２１】
2019188046.tif 000023